(57)【特許請求の範囲】
【請求項１】
デジタル顕微鏡画像を補正するための反射補正方法であって、
少なくとも２つの異なる照明パターン（１１、１２）であって、各々、少なくとも１つのアクティブ照明源（１１１）を有する少なくとも２つの異なる照明パターン（１１、１２）により被写体を照明する工程（１０）と、
照明パターン（１１、１２）毎に前記被写体の照明パターン画像（２１、２１）を生成する工程（２０）と、
２つの照明パターン画像（２１、２２）を組み合わせることにより少なくとも１つの部分的反射画像（６１）を計算する工程と、
少なくとも１つの照明パターン画像（２１、２２）と少なくとも１つの部分的反射画像（６１）とを組み合わせることにより前記被写体の反射補正画像（９９）を計算する工程（９０）と、を備える反射補正方法。
【請求項２】
すべての照明パターン（１１、１２）の複数のアクティブ照明源（１１１）は、前記被写体の周囲に幾何学的構造（１１２）を形成し、
前記照明パターン（１１、１２）は、
単一アクティブ照明源（１１１）、
前記幾何学的構造（１１２）の１／８の領域にある複数のアクティブ照明源（１１１）、
前記幾何学的構造（１１２）の１／４の領域にある複数のアクティブ照明源（１１１）、
前記幾何学的構造（１１２）の２分の１の領域にある複数のアクティブ照明源（１１１）、および
アクティブ照明源（１１１）として前記幾何学的構造（１１２）の１つ置きの照明源（１１１）のうちの１つから選択可能なパターンを有する、請求項１に記載の反射補正方法。
【請求項３】
第１の照明グループ（３１）と別の照明グループ（３２）とを形成する工程（３０）と、
各照明パターン画像（２１、２２）を前記第１の照明グループ（３１）または前記別の照明グループ（３２）に割り当てる工程（４０）とをさらに備え、
対応する部分的反射画像（６１）を判断するためのそれぞれ２つの照明パターン画像（２１、２２）は、異なる照明グループ（３１、３２）に属する、請求項１または２に記載の反射補正方法。
【請求項４】
部分的反射画像（６１）の数は、
前記第１の照明グループ（３１）の照明パターン（１１、１２）の数および前記別の照明グループ（３２）の照明パターン（１１、１２）の数のうちの少なくとも一方に対応する、請求項３に記載の反射補正方法。
【請求項５】
各部分的反射画像（６１）は、対応する２つの照明パターン画像（２１、２２）の差画像に対応する、請求項１〜４のいずれか一項に記載の反射補正方法。
【請求項６】
前記差画像は、絶対値差画像を有する、請求項５に記載の反射補正方法。
【請求項７】
前記照明パターン画像（２１、２２）の互いに対する隣接関係を判断する工程（５０）をさらに備え、
第１の照明グループ（３１）と別の照明グループ（３２）とは、前記隣接関係により形成され（３０）、
それぞれの照明画像（２１、２２）は、前記隣接関係に基づき前記第１の照明グループ（３１）または前記別の照明グループ（３２）に割り当てられる、請求項３〜６のいずれか一項に記載の反射補正方法。
【請求項８】
前記隣接関係は、前記選択されたパターンに依存する方法で判断される（５０）、請求項７に記載の反射補正方法。
【請求項９】
前記部分的反射画像（６１）の少なくともいくつかから全体反射画像（８１）を確立する工程（８０）をさらに備える請求項１〜８のいずれか一項に記載の反射補正方法。
【請求項１０】
前記全体反射画像（８１）は、対応する部分的反射画像（６１）を互いに重畳することにより、確立される（８０）、請求項９に記載の反射補正方法。
【請求項１１】
前記被写体の前記反射補正画像（９９）を計算する工程（９０）は、
すべての照明パターン画像（２１、２２）の少なくともいくつかを合計して全体照明パターン画像（２３）を形成する工程（９１）と、
全体反射画像（８１）を全体照明パターン画像（２３）から減じて全体画像（９７）を正規化する工程（９３）と、を含み、
前記全体画像（９７）の正規化（９３）の結果は、前記被写体の反射補正画像（９９）に対応する、請求項９または１０に記載の反射補正方法。
【請求項１２】
前記被写体は、分散的に反射する被写体である、請求項１〜１１のいずれか一項に記載の反射補正方法。
【請求項１３】
反射補正被写体撮像のための装置（１００）であって、
画像記録装置（１１０）と、
反射補正装置（１２０）と、を備え、
前記画像記録装置（１１０）は被写体画像を取得し、かつ前記被写体画像を前記反射補正装置（１２０）へ転送するように構成され、
前記反射補正装置（１００）は請求項１〜１２のいずれか一項に記載の反射補正方法を行うように構成される、装置（１００）。
【請求項１４】
請求項１３に記載の反射補正装置（１００）のためのコンピュータプログラム製品であって、請求項１〜１２のいずれか一項に記載の反射補正方法により動作可能なコンピュータプログラム製品。
【請求項１５】
請求項１４に記載のコンピュータプログラム製品を含むデータ媒体。
【発明の詳細な説明】
【技術分野】
【０００１】
本発明は、被写体の画像、好ましくはデジタル顕微鏡画像の反射補正のための方法およびそれに関連する装置に関する。
【背景技術】
【０００２】
照明を有する光学系により画像を記録する際、照明と被写体と系との間の相互作用により引き起こされる望ましくない反射（画像記録または画像印象を損なう）が発生し得る。画像内の重要な詳細はこのような反射の結果として失われ得る。これらの反射は、２つの異なる原因、すなわち第１に光学系内の多重反射（系反射）の結果として発生する画像反射と、第２に特に反射光照明の場合に特定方向の調査対象被写体の高反射率の結果としての画像反射とを有し得る。
【０００３】
系反射は現在では通常、系内の極めて重要な光学面上の特別な反射防止被覆により補正される。さらに、複雑性が増した特別な光学的設計が系反射を低減するために導入される。さらに、撮像に関連しないすべての部品のつや消し（黒化）もまたあり得る。さらに、偏光反射防止装置もまた使用され得る。
【先行技術文献】
【特許文献】
【０００４】
【特許文献１】米国特許出願公開第２００４／０２１２７２５号明細書
【非特許文献】
【０００５】
【非特許文献１】エイ  アグラワル（A. Agrawal）, アール  ラスカー（R. Raskar）, エス  ナイヤル（S. Nayar）, ワイ  リー（Y. Li）著、「勾配投影及びフラッシュ露光サンプリングを用いた撮影アーチファクト除去（Removing Photography Artifacts using Gradient Projection and Flash-Exposure Sampling）」、２００５年、ACM Transactions on Graphics 24,3、 S. 828-835
【非特許文献２】エイ  アルトゥージ（A. Artusi）, エフ  バンタール（F. Banterle）, ディ  チュトべリコフ（D. Chetverikov）著、「鏡面性除去の検査方法（A Survey of Specularity Removal Methods）」、コンピュータ  グラフィカル  フォーラム（Computer Graphics Forum）、 Vol.30(2011)8, S. 2208-2230
【非特許文献３】アール  フェリス(R. Feris), アール  ラスカー（R. Raskar）, ケイ  エイチ  タン（K.-H. Tan）, エム  ターク（M. Turk）著、「マルチフラッシュイメージングを用いた鏡面反射の低減（Specular Reflection  Reduction with Multi-Flash Imaging）」、 第１７回コンピュータグラフィカル及びイメージング処理に関するブラジルシンポジウムXVLL会報（Proceedings of the XVII Brazilian Symposium on Computer Graphics and Image Processing (SIBGRAPI’04)）、2004年, Vol.42, S.316-321
【発明の概要】
【発明が解決しようとする課題】
【０００６】
しかし、これらの処置のすべては生産中の経費増加を必要とし、したがって高コストであり得る。
発生する反射を画像後処理により、例えば撮像された被写体の画像部分内の輝度差の増加を補償することにより、または数学的モデルによりモデル化される被写体の反射性質によりデジタル的に補正する試みがしばしば行われ、得られた反射を計算により画像から除去する試みが行われている。これらの後処理方法の欠点は、これらの後処理方法が画像内に発生する反射を特別な場合においてのみ最大限に除去し得ることである。ここでの別の欠点は、撮像された被写体が処理中に改ざんされ得ることである。さらに、過去の画像処理方法は時間がかかり計算集約的である。
【０００７】
したがって、被写体を照明した結果として光学機器において（例えば、デジタル顕微鏡において）発生する反射を迅速かつより信頼性の高い方法で顕微鏡記録から除去できるようにする選択肢を提供することが望ましい。
【０００８】
本発明は、従来技術から知られた欠点の少なくともいくつかを回避するまたは少なくとも低減する選択肢を提案することを目的とする。
【課題を解決するための手段】
【０００９】
本発明によると、この目的は主請求項に記載の方法によりおよび従属請求項に記載の装置により達成される。
ここで、主請求項の主題は画像、好ましくは顕微鏡画像を補正するための反射補正方法に関する。
【００１０】
顕微鏡画像は様々な既知の微視的方法により取得され得る。本発明による方法は、様々な画像処理技術およびアルゴリズムがここではいずれの場合も使用されるため、デジタル顕微鏡検査において特に有利な方法で適用可能である。
【００１１】
ここで、反射補正方法は、
少なくとも２つの異なる照明パターンであって、それぞれが少なくとも１つのアクティブ照明源を有する、少なくとも２つの異なる照明パターンにより被写体を照明する工程と、
照明パターン毎に被写体の照明パターン画像を生成する工程と、
２つの照明パターン画像を組み合わせることにより少なくとも１つの部分的反射画像を計算する工程と、
すべての照明パターン画像の少なくともいくつかとすべての部分的反射画像の少なくともいくつかとの好適な組み合わせにより被写体の反射補正画像を計算する工程と、を備える。
【００１２】
本方法の工程は自動的な方法で行われ得る。有利には、本方法の工程は顕微鏡の「ライブ」モードで非常に速く行われるため、ユーザは補正工程を待つ必要無くほぼライブな画像を観測する。したがって、反射補正画像を形成するために顕微鏡のハードウェア（光学エンジン）において照明パターン画像を記録し処理することは「ライブ」画像の再生より実質的に高い速度で起きる。
【００１３】
ここで、本発明の意味の範囲内の照明パターンは、被写体の対応する照明パターン画像を生成するために被写体を照明するための１つまたは複数の照明源を標的にして活性化することであり得る。一例として、照明パターンは第１の照明源による被写体の照明であり、一方、第２の照明パターンは１つまたは複数の他の照明源により被写体を照明する。ＬＥＤリングライトの場合、暗視野反射光照明の顕微鏡検査においてしばしば使用されるように、このような照明パターンは、個々のＬＥＤを標的としてまたはリングライトの複数のＬＥＤを標的として活性化することにより容易に生成され得る。したがって、照明パターンは様々な照明源の規定の構成または切換えであると理解される。照明パターン自体は、例えば照明源のマトリックスにより形成され、マトリックスの照明源の異なる照明源が照明パターン毎にスイッチオンされる。ここで、マトリックスの設計および同時にスイッチオンされる照明源の許容数に依存して、組み合わせにより確立される多くの異なる照明パターンが生成され得る。
【００１４】
ここで、本発明の意味の範囲内の照明パターン画像は被写体の光学的デジタル記録（画像）であり、被写体は照明パターンにより照明される。
ここで、本発明の意味の範囲内の部分的反射画像は２つの好適な照明パターン画像が互いに組み合わせられることにより生成される画像である。一般的に、好適な照明パターンは幾何学的に「隣接」したものである。選択はこの隣接性の定義に従ってなされる。照明パターン画像は、両方の照明パターン画像内に存在する反射がそのまま残り、一方反射を有しない画像部分は互いに相殺するような方法で組み合わせられる。この目的を達成するために、個別画像の差の絶対値が形成される。反射は表面特性のために移動することになり、一方、実際の被写体は変わらないままである。
【００１５】
ここで、本発明の意味の範囲内の反射補正画像は、照明パターン画像を記録する際に発生した反射に関して補正された画像である。
ここで、本発明の意味の範囲内の少なくとも１つの照明パターン画像と少なくとも１つの部分的反射画像とを組み合わせることにより被写体の反射補正画像を計算することは、対応する部分的反射画像と対応する照明パターン画像とを好適には組み合わせることにより、対応する照明パターンによる照明の結果として関連照明パターン画像において生成される反射を補正する処理であり得る。ここで、計算された部分的反射は計算により反射補正全体画像中に正しく導入される必要がある。すなわち、計算式は部分的反射画像の計算に依存する。一例として、これは、対応する照明パターン画像が合算され、合算された対応する部分的反射画像がそれから減算されることにより行われ得る。本発明による方法の発展形態では、所望であり必要であれば一部分のみもまた加算される可能性があり、または追加の画像処理工程が挿入される可能性がある。
【００１６】
ここで、本発明の意味の範囲内のアクティブ照明源は被写体を照明するためにスイッチオンされた光源（例えば、個々のＬＥＤ、またはＬＥＤリングライト内のＬＥＤの群）であり得る。
【００１７】
したがって、被写体の角度選択的照明は、被写体の周囲に複数のこのような照明源を配置してそれを標的にして活性化することにより実現され得る。
本発明による教示により得られる利点は、照明により発生する反射が可能な限り削除または完全に削除され得る良好に照明された画像記録が被写体に対して生成され得ることである。これは、費用効率の高い方法で実現され、被写体は可能な限り変造されないかまたは完全に変造されない方法で表示される。
【００１８】
この結果、特に顕微鏡検査において生成されるような拡大記録の場合、可能な限り反射の無い良好に照明された物体画像が生成され得る。
従属請求項の主題は、反射補正被写体撮像のための、好ましくは反射補正顕微鏡検査のための、特に好ましくは反射補正光学顕微鏡検査のための反射補正装置に関する。
【００１９】
ここで、反射補正装置は画像記録装置と反射補正装置とを含む。ここで、画像記録装置は被写体画像を取得し、その被写体画像を反射補正装置へ転送するように構成される。ここで、反射補正装置は、好ましくはハードウェアまたはソフトウェア画像処理手段により本発明による反射補正方法を行うように構成される。
【００２０】
ここで、本発明の意味の範囲内の画像記録装置は、被写体を走査し光学的に描写するのに好適な装置であり得る。特に、画像記録装置は、顕微鏡、特に好ましくはデジタル画像捕捉を有する光学顕微鏡であり得る。さらに、画像記録装置は、記録対象被写体の角度選択的照明のための複数の照明源を有し得る。
【００２１】
ここで、本発明の意味の範囲内の反射補正装置は、画像記録中に被写体の照明により生成される反射を補正するように構成された装置を有し得る。この目的を達成するために、反射補正装置はＣＰＵおよび関連アーキテクチャを有し得る。特に、反射補正装置は、その反射補正装置に応じて構成されたコンピュータまたはデジタル顕微鏡の画像処理装置であり得る。
【００２２】
本発明による教示により得られる利点は、被写体を角度選択的な方法で照明し、処理において記録し、照射により生成された厄介な反射を可能な限り削除するまたは完全に削除することができるようにする装置を費用効率の高い方法で提供することが可能であることである。
【００２３】
別の従属請求項の主題は、本発明による反射補正装置のためのコンピュータプログラム製品であって、本発明による反射補正方法により動作可能なコンピュータプログラム製品に関する。本発明による教示により得られる利点は、反射補正方法が本発明による反射補正装置により自動的な方法で動作可能であり、簡単かつ費用効率の高い方法で本発明による対応する様々な装置のために提供され得ることである。
【００２４】
ここで、別の従属請求項の主題は、本発明によるコンピュータプログラム製品を含むデータ媒体に関する。
本発明による教示により得られる利点は、反射補正方法が本発明による反射補正装置により自動的な方法で動作可能であり、簡単かつ費用効率の高い方法で本発明による対応する様々な装置のために提供され得ることと、データ媒体が本発明による対応する装置へ本方法を装置の場所において直接ポーティングする（port）ことができるように容易に搬送され得ることとである。
【００２５】
本発明の実施形態について以下にさらに詳細に説明する前に、本発明は、説明した部品または説明した方法の工程に限定されないことに注意すべきである。さらに、採用される用語はまた、限定を定めるのではなく例示的特徴を有するにすぎない。単数形が本明細書および特許請求の範囲において使用される限りにおいて、これはまた、文脈により明示的に排除されない限り、それぞれの場合に複数を含む。これが文脈により明示的に排除されない限り、可能な方法の工程は自動的な方法で行われ得る。
【００２６】
本発明による方法の別の例示的実施形態について以下に説明する。
第１の例示的実施形態によると、反射補正方法は、被写体の周囲に幾何学的基本構造を形成するすべての照明パターンのアクティブ照明源をさらに含む。照明パターンはパターングループから選択可能なパターンを有する。
【００２７】
ここで、パターングループは、
単一アクティブ照明源、
幾何学的基本構造の１／８の形式の複数のアクティブ照明源、
幾何学的基本構造の１／４の形式の複数のアクティブ照明源、
幾何学的基本構造の１／２の形式の複数のアクティブ照明源、および、さらに
アクティブ照明源として幾何学的基本構造の１つ置きの照明源、を含む。
【００２８】
ここで、本発明の意味の範囲内の幾何学的基本構造は、記録対象被写体の相応に良い照明を実現するために配置された照明源であり得る。好ましくは、幾何学的基本構造は円構造または円状構造であり得るが、四辺形または多角形でもあり得る。ここでは、様々なリング照明が利用され得る。
【００２９】
この実施形態の利点は、被写体の理想的照明を可能にし得る照明パターンを選択することが可能であり、この場合、可能な限り容易に補正され得る反射が生成されるように配慮することが可能であることである。
【００３０】
別の例示的実施形態によると、反射補正方法は、
好適な第１の照明グループと好適な別の照明グループとを形成する工程と、
各照明パターン画像を第１の照明グループまたは別の照明グループに割り当てる工程と、をさらに含む。
【００３１】
ここで、対応する部分的反射画像を判断するためのそれぞれ２つの照明パターン画像は異なる照明グループに属する。
ここで、本発明の意味の範囲内の照明グループは、照明パターンのうちのいくつかを受信し得るグループであり得る。したがって、照明パターンは対応する部分的反射画像を生成することができるようにいくつかのグループにソートされる。
【００３２】
この実施形態の利点は、部分的反射画像が、角度選択的照明により生成される反射がハイライトされるような効果的な方法で生成されることである。
別の例示的実施形態によると、反射補正方法は、第１の照明グループの照明パターンの数および／または別の照明グループの照明パターンの数に対応する数の部分的反射画像をさらに含む。
【００３３】
この実施形態の利点は、１つまたは複数の被写体画像または被写体画像からこれらの反射をその後フィルタリングするために、角度選択的照明の結果としてまたは照明パターンの結果として、発生する反射をハイライトするのに必要な数の部分的反射画像を生成することのみが必要であることである。
【００３４】
別の例示的実施形態によると、反射補正方法は、対応する２つの照明パターン画像の差画像（difference image）に対応する各部分的反射画像をさらに含む。
ここで、本発明の意味の範囲内の差画像は、２つの画像が互いに（例えば画素毎に）減算される際に生成される画像であり得る。その際、同一画素は削除される。このようにして、照明の角度選択性により生成される画像部分（すなわち、対応する照明パターンまたは２つの互いに同様な照明パターンの反射）のみが、静的被写体の場合にそのまま残る。
【００３５】
この実施形態の利点は、対応する被写体画像から反射をその後フィルタリングすることができるように、簡単な方法において、反射を含む画像のみを可能な限り生成することが可能であることである。
【００３６】
別の例示的実施形態によると、反射補正方法は、絶対値差画像、好ましくは重み付け絶対値差画像を有する差画像をさらに含む。
ここで、本発明の意味の範囲内の絶対値差画像は、絶対値が減算中に形成され、したがってそれぞれの結果が常に正値を有するため、２つの画像のいずれが他方から減じられたかが画素の差画像においていかなる役割も果たさない画像であり得る。
【００３７】
ここで、本発明の意味の範囲内の重み付け絶対値差画像は、例えば一定の輝度に正規化される絶対値画像であり得る。
この実施形態の利点は、部分的反射画像の生成中、２つの対応する照明パターン画像のうちのいずれが他方から減じられる必要があるかを予め選択する必要が無いため、本方法が柔軟に行われることである。
【００３８】
別の例示的実施形態によると、反射補正方法は、照明パターン画像の互いに対する好適な隣接性関係を判断する工程をさらに含む。ここで、第１の照明グループと別の照明グループとは隣接性関係により形成される。それぞれの照明パターン画像は、隣接性関係に基づき第１の照明グループまたは別の照明グループに割り当てられる。
【００３９】
ここで、本発明の意味の範囲内の互いに対する照明パターン画像の隣接性関係は、基本として、２つの対応する照明パターンによる照明の同様の角度選択性を有し得る。ここで、隣接性は基準軸に起因する近接性であり得る。隣接性はまた、それぞれの場合に照明パターンのうちの異なるものにおいて使用される２つの照明源の直接的近接性により与えられる。
【００４０】
この実施形態の利点は、反射が照明パターン画像の隣接性の結果として同様の角度選択性を有し、したがって関連照明パターン画像内にほぼ同じ反射を生成する部分的反射画像を形成するための照明パターン画像を使用することが可能であることである。
【００４１】
別の例示的実施形態によると、反射補正方法は、選択されたパターンに依存する方法で判断される隣接性関係をさらに含む。
この実施形態の利点は、反射が照明パターンの隣接性の結果として同様の角度選択性を有し、したがって関連照明パターン画像内にほぼ同じ反射を生成する部分的反射画像を形成するための照明パターン画像を使用することが可能であることである。
【００４２】
別の例示的実施形態によると、反射補正方法は、部分的反射画像の少なくともいくつかから全体反射画像を確立する工程をさらに含む。
好ましくは、これはすべての部分的反射画像により発生し得る。
【００４３】
ここで、本発明の意味の範囲内の全体反射画像は、すべての対応する部分的反射画像が全体画像を形成するために組み合わせられる画像であり得る。したがって、角度選択的記録により生成されたすべての反射は画像内に組み合わせられ、被写体のほぼすべての反射のみが含まれる画像が生成される。
【００４４】
この実施形態の利点は、反射が簡単かつ効率的な方法で被写体からフィルタリングされ得ることである。
別の例示的実施形態によると、反射補正方法は、対応する部分的反射画像を互いに好適に重畳させることにより、全体反射画像を確立する工程をさらに含む。特に好ましくは、好適な重畳は対応する部分的反射画像を合計することにより行われる。
【００４５】
この実施形態の利点は、被写体のすべての反射が簡単かつ効率的な方法で画像内に描写されることである。
別の例示的実施形態によると、反射補正方法の被写体の反射補正画像の構築は、
全体照明パターン画像を形成するためにすべての照明パターン画像の少なくともいくつか、好ましくはすべての照明パターン画像を合計する工程と、
全体画像を形成するために全体反射画像を全体照明パターン画像から減じる工程と、
全体画像を好適に正規化する工程と、を含む。
【００４６】
ここで、全体画像の正規化の結果は被写体の反射補正画像に対応する。
ここで、本発明の意味の範囲内の全体照明パターン画像は、全体画像を形成するためにすべての対応する照明パターン画像が組み合わせられた画像であり得る。したがって、すべての照明方向からの被写体に関する情報は１つの画像内に描写される。したがって、角度選択的記録により生成されるすべての反射を含むすべての情報がこの画像内に含まれ得る。
【００４７】
この実施形態の利点は、画像がこのようにして生成され、角度選択的照明により生成されるすべての反射が画像から簡単かつ効率的な方法でフィルタ除去され得ることである。
別の例示的実施形態によると、反射補正方法は被写体を分散的に反射する工程を含む。
【００４８】
この実施形態の利点は、本方法が、反射のためにいかなる明示的優先方向も有しない被写体へ適用可能であることである。
したがって、本発明は、被写体を光学的に取得する目的のために被写体の理想的照明を提供することができ、処理中に照明により生成される反射が可能な限り無い状態で被写体を光学的に描写することができる方法および関連装置を提供できるようにする。
【００４９】
次に、反射補正画像は次のように計算される。
【００５０】
【数１】
0006277223.tif 000002
ここで、Ｎ（ｉ）はｉに直接隣接する照明方向の組であり、ｍはすべての隣接照明方向Ｎ（ｉ）の数を規定する。
【００５１】
いくつかの照明設定では、単一照明の複数の可能な隣接照明方向が考慮される必要がある。照明グリッドの場合、画素連結性の概念が適切な近隣性定義を与え得る。しかし、より一般的な近隣性が可能である。結果的に、本発明者らは、Ｎ（ｉ）により照明方向ｉの近隣の指標を示す。
【００５２】
＃Ｎ（ｉ）により、方向ｉの近隣の数が示される。より一般的には、＃は、以降に説明される離散集合の要素をカウントする。例えばｓｕｍ＿ｏｖｅｒ  ｉ：＃（Ｎ（ｉ）＝ｊはｊが近隣である場合の方向の数である。
【００５３】
この表記に続いて、本発明者らは反射補正の式を次のように一般化し得る。
【００５４】
【数２】
0006277223.tif 000003
いかなる照明方向もそれ自体の近隣ではあり得ないことと、明確な近隣照明方向を有する少なくとも１つの照明方向が存在しなければならないこととに留意されたい。
【００５５】
または、反射は、次式のように行われる画像平均化により低減（または除去）され得る。
【００５６】
【数３】
0006277223.tif 000004
さらに、隣接性は必ずしも直接的隣接性である必要はなく、またはすべての個別方向に対して完全である必要はなく、通常は、対称である必要もない。しかし、ｉ毎の数ｍは適応化される必要がある。
【図面の簡単な説明】
【００５７】
【図１】本発明の例示的実施形態による提案方法の概略図を示す。
【図２】本発明の別の例示的実施形態による提案方法の円状幾何学的基本構造のいくつかの例示的照明パターンの概略図を示す。
【図３】本発明の別の例示的実施形態による提案方法の概略図を示す。
【図４】本発明の別の例示的実施形態による提案方法の概略図を示す。
【図５】本発明の別の例示的実施形態による提案装置の概略図を示す。
【発明を実施するための形態】
【００５８】
本発明について、添付図面に基づき以下により詳細に説明する。
図１は、本発明の例示的実施形態による提案方法の概略図を示す。
ここで、図１は、画像（好適には顕微鏡画像）の補正のための反射補正方法の概略図を示す。ここで、反射補正方法は以下の工程を含む：被写体を照明する工程（１０）であって、少なくとも２つの照明パターン１１、１２を有する被写体を照明する工程（１０）、照明パターン１１、１２毎に被写体の照明パターン画像２１、２２を生成する工程、対応する２つの照明パターン画像２１、２２の好適な組み合わせにより、それぞれの場合に多くの部分的反射画像６１を判断する工程（６０）、すべての照明パターン画像２１、２２の少なくともいくつかとすべての部分的反射画像６１の少なくともいくつかとの好適な組み合わせにより被写体の反射補正画像９９を構築する工程（９０）。処理では、各照明パターン１１、１２は少なくとも１つのアクティブ照明源１１１を有し、各照明パターン１１、１２は他のすべてと異なる。
【００５９】
図２は、本発明の別の例示的実施形態による提案方法の円状幾何学的基本構造のいくつかの例示的照明パターンの概略図を示す。ここで、図２は４行の異なる照明パターンを示す。ここで、すべての照明パターン１１、１２のアクティブ照明源１１１は各行内において被写体の周囲に幾何学的基本構造１１２を形成する。照明パターン１１、１２はパターングループから選択可能なパターンを有する。パターングループは以下のものを含む：行１に例示的方法で描写するような単一アクティブ照明源１１１、幾何学的基本構造１１２の１／８の形式の複数のアクティブ照明源１１１、図２の例では幾何学図形は８つの照明源１１１を有するため、行１が同様にこのパターンに対応し、行２に例示的方法で描写するような幾何学的基本構造１１２の４分の１の形式の複数のアクティブ照明源１１１、行３に例示的方法で描写するような幾何学的基本構造１１２の２分の１の形式の複数のアクティブ照明源１１１、および行４に例示的方法で描写するようなアクティブ照明源１１１としての幾何学的基本構造１１２の１つ置きの第２の照明源１１１。
【００６０】
図３は、本発明の別の例示的実施形態による提案方法の概略図を示す。
ここで、図３は、図１の方法に関係して拡張された方法の概略図を示す。図１に関係して上に述べたことは、同様に図３に当てはまる。
【００６１】
図３から推測され得るように、反射補正方法は、以下のものをさらに含む：好適な第１の照明グループ３１と好適な別の照明グループ３２とを形成する工程（３０）、各照明パターン画像２１、２２を第１の照明グループ３１または別の照明グループ３２に割り当てる工程（４０）、その際、対応する部分的反射画像を判断する（６０）ためのそれぞれ２つの照明パターン画像２１、２２は異なる照明グループ３１、３２に属する。
【００６２】
図４は、本発明の別の例示的実施形態による提案方法の概略図を示す。
ここで、図４は、図１および図３の方法に関係して拡張された方法の概略図を示す。図１および図３に関係して上に述べたことは、同様に図４に当てはまる。
【００６３】
図４から推測され得るように、反射補正方法は、照明パターン画像２１、２２の互いに対し好適な隣接性関係を判断する工程（５０）をさらに含む。ここで、第１の照明グループ３１と別の照明グループ３２とは隣接性関係により形成される（３０）。それぞれの照明パターン画像２１、２２は隣接性関係に基づき第１の照明グループ３１または別の照明グループ３２に割り当てられる。
【００６４】
さらに、隣接性関係は選択パターンに依存する方法で判断される（５０）。
また、反射補正方法は、部分的反射画像６１の少なくともいくつかから全体反射画像８１を確立する工程（８０）をさらに含む。
【００６５】
ここで、全体反射画像８１は、好適には対応する部分的反射画像６１を互いに重畳することにより、特に好適には対応する部分的反射画像６１を合計することにより確立される（８０）。
【００６６】
さらに、反射補正方法の被写体の反射補正画像９９を構築する工程（９０）は、以下のものを含む：全体照明パターン画像２３を形成するためにすべての照明パターン画像２１、２２の少なくともいくつか、好ましくはすべての照明パターン画像２１、２２を合計する工程（９１）、全体画像９７を形成するために全体照明パターン画像２３から全体反射画像８１を減じる工程（９２）、および全体画像９７を好適に正規化する工程（９３）、ここで、全体画像９７の正規化９３の結果は被写体の反射補正画像９９に対応する。
【００６７】
図５は、本発明の別の例示的実施形態による提案装置の概略図を示す。
ここで、図５は、反射補正被写体撮像のための、好ましくは反射補正顕微鏡検査のための、特に好ましくは反射補正光学顕微鏡検査のための反射補正装置１００の概略図を示す。反射補正装置１００は、画像記録装置１１０と反射補正装置１２０とを含む。ここで、画像記録装置１１０は、被写体を記録または取得し、その結果（画像）を反射補正装置１２０へ転送するように構成される。反射補正装置１００は、本発明による反射補正方法を行うようにさらに構成される。
【００６８】
本発明の概念は以下に概説されるように要約され得る。被写体を光学的に取得することが可能になり得、および処理では、被写体を記録する際に照明により生成される反射を補正し得る方法および対応する装置が提供される。根本原理は、反射は通常、照明方向に強く依存するため、隣接照明方向の画像が被写体の同様の画像を常に示すことである。その結果、記録画像の差を形成する際に反射はそのまま残る。その後、反射は、絶対値、和、および正規化値を形成することにより、個々の画像の和から直接減じられ得る方法で正規化される。生成画像はその後、もはや直接的反射を可能な限り含まない。
【００６９】
この方法はパラメータによらないため、現在の実用的実施形態において発生し得るような不自然なアーチファクトの生成は無い。さらに、照明方向依存反射はその強度とは無関係に除去される。
【符号の説明】
【００７０】
１０  被写体を照明する工程
１１、１２  照明パターン
２０  照明パターン画像を生成する工程
２１、２２  照明パターン画像
２３  全体照明パターン画像
３０  第１および第２の照明グループを形成する工程
３１  第１の照明グループ
３２  第２の照明グループ
４０  各照明パターン画像を照明グループに割り当てる工程
５０  照明パターン画像の互いに対する隣接性関係を判断する工程
６０  少なくとも１つの部分的反射画像を計算する工程
６１  部分的反射画像
８０  全体反射画像を確立する工程
８１  全体反射画像
９０  反射補正画像を計算する工程
９１  全体照明パターン画像を形成するためにすべての照明パターン画像の少なくともいくつかを合計する工程
９２  全体画像を形成するために全体照明パターン画像から全体反射画像を減じる工程
９３  全体画像を正規化する工程
９７  全体画像
９９  反射補正画像
１００  反射補正装置
１１０  画像記録装置
１１１  照明源
１１２  幾何学的基本構造
１２０  反射補正装置
【図１】
0006277223.tif 000005
【図２】
0006277223.tif 000006
【図３】
0006277223.tif 000007
【図４】
0006277223.tif 000008
【図５】
0006277223.tif 000009